(57)【要約】【課題】  煩雑な契約や調査を要さずに、多数の相手と、ネットワークを介して、医用画像情報を共用できる医用情報提供システムを提供する。【解決手段】  ＳＲ１個人４１は受診端末を用いてＳＲ１病院１１が保持する医用画像情報を受信する要求を医用情報仲介センター１００の仲介端末に対して行い、医用情報仲介センター１００はＳＲ１病院１１が保持する医用画像情報をＳＲ１個人４１が入手するための交渉を、仲介端末を用いてネットワーク１を介してＳＲ１個人４１の受診端末とＳＲ１病院１１の送信端末と行い、医用情報仲介センター１００の仲介端末は前記医用画像情報をネットワーク１を介してＳＲ１病院１１の送信端末から受信し、ネットワーク１を介してＳＲ１個人４１の受診端末へ転送する。【選択図】    図１
2011008829.tif 000002
【特許請求の範囲】
【請求項１】
ネットワークを介して送信端末と受信端末と仲介端末とが接続された医用情報提供システムであって、
前記送信端末は、
前記ネットワークを介してデータを送受信する第１の通信部と、
情報を入力する第１の入力部と、
画像を表示する第１の出力部と、
データを記憶する第１の記憶部と、
前記第１の通信部、前記第１の入力部、前記第１の出力部及び前記第１の記憶部を制御する第１の制御部とを具備し、
前記第１の記憶部は、画像診断装置で撮影された医用画像のデータを記憶しており、
前記受信端末は、
前記ネットワークを介してデータを送受信する第２の通信部と、
情報を入力する第２の入力部と、
画像を表示する第２の出力部と、
データを記憶する第２の記憶部と、
前記第２の通信部、前記第２の入力部、前記第２の出力部及び前記第２の記憶部を制御する第２の制御部とを具備し、
前記仲介端末は、
前記ネットワークを介してデータを送受信する第３の通信部と、
情報を入力する第３の入力部と、
画像を表示する第３の出力部と、
データを記憶する第３の記憶部と、
前記第３の通信部、前記第３の入力部、前記第３の出力部及び前記第３の記憶部を制御する第３の制御部とを具備しており、
前記第２の制御部は、前記第２の入力部を用いた前記受信端末を使用する受信加入者の操作による入力にしたがって、前記受信加入者の情報とともに、前記送信端末を使用する送信加入者の情報を要求する信号を前記第２の通信部を経て前記受信端末から前記仲介端末に送信し、
前記第３の制御部は、前記第３の通信部を経て受信した前記受信加入者の情報から前記送信加入者情報の要求の正当性をチェックし、前記チェックの結果正当であった場合には、前記送信加入者の情報を前記第３の通信部を経て前記仲介端末から前記受信端末に送信し、
前記第２の制御部は、前記第２の通信部を経て受信した前記送信加入者の情報に基づく前記第２の入力部を用いた前記受信加入者の操作による入力にしたがって、前記送信端末における前記第１の記憶部に記憶された医用画像を要求する信号を前記第２の通信部を経て前記受信端末から前記仲介端末に送信し、
前記第３の制御部は、前記第３の通信部を経て前記医用画像を要求する信号を受信し、前記送信加入者に対して前記医用画像を要求する信号を前記第３の通信部を経て前記仲介端末から前記送信端末に送信し、
前記第１の制御部は、前記第１の通信部を経て前記医用画像を要求する信号を受信し、要求された前記医用画像を前記第１の記憶部から読み出し、読み出した前記医用画像を前記第１の通信部を経て前記送信端末から前記仲介端末に送信し、
前記第３の制御部は、前記第３の通信部を経て前記送信端末からの前記医用画像を受信し、受信した前記医用画像を前記第３の通信部を経て前記仲介端末から前記受信端末に送信し、
前記第２の制御部は、前記第２の通信部を経て受信した前記送信加入者からの前記医用画像を前記受信端末における前記第２の出力部の画像に表示することを特徴とする医用情報提供システム。
【請求項２】
請求項１に記載の医用情報提供システムにおいて、
前記第３の制御部が行う前記送信加入者情報の要求の正当性のチェックにおける前記受信加入者の情報は、前記受信端末における前記第２の入力部から入力された、前記受信端末のネットワークアドレス、電話番号、パスワードもしくはＩＤ番号の情報であることを特徴とする医用情報提供システム。
【請求項３】
請求項１又は請求項２に記載の医用情報提供システムにおいて、
前記送信加入者が複数である場合、前記受信端末における第２の制御部は、前記仲介端末から送信されて受信した複数の前記送信加入者から１人を選択することができるリストを含む画像を前記第２の出力部に表示し、前記第２の入力部を用いて選択した１人の送信加入者にしたがって、前記選択された送信加入者の前記送信端末における前記第１の記憶部に記憶された医用画像を要求する信号を前記第２の通信部を経て前記受信端末から前記仲介端末に送信することを特徴とする医用情報提供システム。
【請求項４】
請求項３に記載の医用情報提供システムにおいて、
前記受信端末の第２の出力部に表示された画像は、複数の前記送信加入者の名称の他、前記送信加入者の電話番号又は住所が一覧可能であることを特徴とする医用情報提供システム。
【請求項５】
請求項４に記載の医用情報提供システムにおいて、
前記受信端末の第２の出力部に表示された画像には、一覧された複数の前記送信加入者の名称について、五十音順、アルファベット順もしくは地域順に一覧し、又は、一覧されている順序を反転して一覧するスイッチが表示され、前記スイッチが表示された画像は、操作されたスイッチにしたがった順序で複数の前記送信加入者を一覧可能であることを特徴とする医用情報提供システム。
【請求項６】
請求項４又は請求項５に記載の医用情報提供システムにおいて、
前記受信端末の第２の出力部に表示された画像は、複数の前記送信加入者の名称、電話番号又は住所を入力する欄を有しており、入力された名称、電話番号又は住所で前記送信加入者を検索可能であることを特徴とする医用情報提供システム。
【請求項７】
請求項１〜６のいずれかに記載の医用情報提供システムにおいて、
前記受信端末の第２の入力部を用いて前記送信加入者の医用画像を要求するとき、前記第２の入力部を用いて、被検者の医用画像であることを示す氏名の他、性別、生年月日、住所又は保険証番号を入力することにより、前記医用画像の被検者が特定されることを特徴とする医用情報提供システム。
【請求項８】
請求項７に記載の医用情報提供システムにおいて、
前記受信端末の第２の入力部を用いて前記特定された被検者の医用画像を要求するとき、前記第２の入力部を用いて、前記医用画像を要求する前記送信加入者の部門を選択し、前記第２の出力部の画像に前記選択された部門で保存する複数の医用画像のリストが表示され、前記第２の入力部を用いて、前記表示された複数の医用画像のリストから要求する医用画像を選択することにより、要求する医用画像が特定されることを特徴とする医用情報提供システム。
【請求項９】
請求項８に記載の医用情報提供システムにおいて、
前記受信端末の第２の入力部を用いて前記医用画像を要求する前記送信加入者の部門を選択するとき、前記第２の入力部を用いて、前記選択された部門で保存されている各々の医用画像が記録された年月日についての期間を入力することにより、要求する医用画像の期間が特定されることを特徴とする医用情報提供システム。
【請求項１０】
請求項９に記載の医用情報提供システムにおいて、
前記受信端末の第２の入力部において、前記第２の入力部を用いて入力される前記医用画像が記録された年月日についての期間に、入力可能な最大の期間が定められたことを特徴とする医用情報提供システム。
【請求項１１】
請求項１〜１０のいずれかに記載の医用情報提供システムにおいて、
前記受信端末の第２の入力部を用いて前記送信加入者の医用画像を要求するとき、前記第２の入力部を用いて、受信加入者が医用画像を受信する目的又は医用画像に関するコメントの情報を入力することを特徴とする医用情報提供システム。
【請求項１２】
請求項１〜１１のいずれかに記載の医用情報提供システムにおいて、
前記送信端末の第１の制御部は、要求された前記医用画像が前記１の記憶部に記憶されていないことを検出したとき、前記記憶されていない旨を示す信号を前記第１の通信部を経て前記送信端末から前記仲介端末に送信することを特徴とする医用情報提供システム。
【請求項１３】
請求項１２に記載の医用情報提供システムにおいて、
前記仲介端末の第３の制御部は、前記第３の通信部を経て前記記憶されていない旨を示す信号を連続して所定の複数回受信したとき、前記仲介端末と前記受信端末との接続を中止することを特徴とする医用情報提供システム。
【請求項１４】
請求項１〜１３に記載の医用情報提供システムにおいて、
前記仲介端末の第３の制御部は、要求された前記医用画像の簡易画像を前記第３の通信部を経て前記仲介端末から前記受信端末に送信し、
前記受信端末の第２の制御部は、前記第２の出力部に、前記第２の通信部を経て受信した前記簡易画像を表示するとともに、前記簡易画像の元データとなる医用画像をダウンロードするスイッチを表示することを特徴とする医用情報提供システム。
【請求項１５】
ネットワークを介して送信端末と受信端末と配信端末と仲介端末とが接続された医用情報提供システムであって、
前記送信端末は、
前記ネットワークを介してデータを送受信する第１の通信部と、
情報を入力する第１の入力部と、
画像を表示する第１の出力部と、
データを記憶する第１の記憶部と、
前記第１の通信部、前記第１の入力部、前記第１の出力部及び前記第１の記憶部を制御する第１の制御部とを具備し、
前記第１の記憶部は、画像診断装置で撮影された医用画像のデータを記憶しており、
前記受信端末は、
前記ネットワークを介してデータを送受信する第２の通信部と、
情報を入力する第２の入力部と、
画像を表示する第２の出力部と、
データを記憶する第２の記憶部と、
前記第２の通信部、前記第２の入力部、前記第２の出力部及び前記第２の記憶部を制御する第２の制御部とを具備し、
前記仲介端末は、
前記ネットワークを介してデータを送受信する第３の通信部と、
情報を入力する第３の入力部と、
画像を表示する第３の出力部と、
データを記憶する第３の記憶部と、
前記第３の通信部、前記第３の入力部、前記第３の出力部及び前記第３の記憶部を制御する第３の制御部とを具備し、
前記配信端末は、
前記ネットワークを介してデータを送受信する第４の通信部と、
情報を入力する第４の入力部と、
画像を表示する第４の出力部と、
データを記憶する第４の記憶部と、
前記第４の通信部、前記第４の入力部、前記第４の出力部及び前記第４の記憶部を制御する第４の制御部とを具備しており、
前記第４の制御部は、前記第４の入力部を用いた前記配信端末を使用する配信加入者の操作による入力にしたがって、前記配信加入者の情報とともに、前記送信端末を使用する送信加入者の情報及び前記受信端末を使用する受信加入者の情報を要求する信号を前記第４の通信部を経て前記配信端末から前記仲介端末に送信し、
前記第３の制御部は、前記第３の通信部を経て受信した前記配信加入者の情報から前記送信加入者情報及び前記受信加入者情報の要求の正当性をチェックし、前記チェックの結果正当であった場合には、前記送信加入者の情報及び前記受信加入者の情報を前記第３の通信部を経て前記仲介端末から前記配信端末に送信し、
前記第４の制御部は、前記第４の通信部を経て受信した前記送信加入者の情報及び前記受信加入者の情報に基づく前記第４の入力部を用いた前記配信加入者の操作による入力にしたがって、前記送信端末における前記第１の記憶部に記憶された医用画像を前記受信端末に送信することを要求する信号を前記第４の通信部を経て前記配信端末から前記仲介端末に送信し、
前記第３の制御部は、前記第３の通信部を経て前記医用画像を前記受信端末に送信することを要求する信号を受信し、前記送信加入者に対して前記医用画像を前記受信端末に送信することを要求する信号を前記第３の通信部を経て前記仲介端末から前記送信端末に送信し、
前記第１の制御部は、前記第１の通信部を経て前記医用画像を前記受信端末に送信することを要求する信号を受信し、要求された前記医用画像を前記第１の記憶部から読み出し、読み出した前記医用画像を前記第１の通信部を経て前記送信端末から前記仲介端末に送信し、
前記第３の制御部は、前記第３の通信部を経て前記送信端末からの前記医用画像を受信し、受信した前記医用画像を前記第３の通信部を経て前記仲介端末から前記受信端末に送信し、
前記第２の制御部は、前記第２の通信部を経て受信した前記送信加入者からの前記医用画像を前記受信端末における前記第２の出力部の画像に表示することを特徴とする医用情報提供システム。
【請求項１６】
請求項１５に記載の医用情報提供システムにおいて、
前記第３の制御部が行う前記送信加入者情報及び前記受信加入者情報の要求の正当性のチェックにおける前記配信加入者の情報は、前記配信端末における前記第４の入力部から入力された、前記配信端末のネットワークアドレス、電話番号、パスワードもしくはＩＤ番号の情報であることを特徴とする医用情報提供システム。
【請求項１７】
ネットワークを介して送信端末と受信端末とが接続された医用情報提供システムであって、
前記送信端末は、
前記ネットワークを介してデータを送受信する第１の通信部と、
情報を入力する第１の入力部と、
画像を表示する第１の出力部と、
データを記憶する第１の記憶部と、
前記第１の通信部、前記第１の入力部、前記第１の出力部及び前記第１の記憶部を制御する第１の制御部とを具備し、
前記第１の記憶部は、画像診断装置で撮影された医用画像のデータを記憶しており、
前記受信端末は、
前記ネットワークを介してデータを送受信する第２の通信部と、
情報を入力する第２の入力部と、
画像を表示する第２の出力部と、
データを記憶する第２の記憶部と、
前記第２の通信部、前記第２の入力部、前記第２の出力部及び前記第２の記憶部を制御する第２の制御部とを具備しており、
前記第２の制御部は、前記第２の入力部を用いた前記受信端末を使用する受信加入者の操作による入力にしたがって、前記受信加入者の情報とともに、前記送信端末を使用する送信加入者の情報を要求する信号を前記第２の通信部を経て前記受信端末から前記送信端末に送信し、
前記第１の制御部は、前記第１の通信部を経て受信した前記受信加入者の情報から前記送信加入者情報の要求の正当性をチェックし、前記チェックの結果正当であった場合には、前記送信加入者の情報を前記第１の通信部を経て前記送信端末から前記受信端末に送信し、
前記第２の制御部は、前記第２の通信部を経て受信した前記送信加入者の情報に基づく前記第２の入力部を用いた前記受信加入者の操作による入力にしたがって、前記送信端末における前記第１の記憶部に記憶された医用画像を要求する信号を前記第２の通信部を経て前記送信端末に送信し、
前記第１の制御部は、前記第１の通信部を経て前記医用画像を要求する信号を受信し、要求された前記医用画像を前記第１の記憶部から読み出し、読み出した前記医用画像を前記第１の通信部を経て前記送信端末から前記受信端末に送信し、
前記第２の制御部は、前記第２の通信部を経て受信した前記送信加入者からの前記医用画像を前記受信端末における前記第２の出力部の画像に表示し、
前述した、前記第２の制御部が前記医用画像を要求する信号を前記送信端末に送信するとき、前記受信端末において、前記第２の入力部を用いて、前記第１の記憶部に記憶されている各々の医用画像が記録された年月日についての期間を入力することにより、要求する医用画像の期間が特定され、前記第２の出力部の画像に前記特定された期間の医用画像のリストが表示され、前記第２の入力部を用いて、前記表示された医用画像のリストから要求する医用画像が特定されることを特徴とする医用情報提供システム。
【請求項１８】
請求項１７に記載の医用情報提供システムにおいて、
前記第１の制御部が行う前記送信加入者情報の要求の正当性のチェックにおける前記受信加入者の情報は、前記受信端末における前記第２の入力部から入力された、前記受信端末のネットワークアドレス、電話番号、パスワード又はＩＤ番号の情報であることを特徴とする医用情報提供システム。
【請求項１９】
請求項１７又は請求項１８に記載の医用情報提供システムにおいて、
前記送信加入者が複数である場合、前記受信端末における第２の制御部は、前記送信端末から送信されて受信した複数の前記送信加入者から１人を選択することができるリストを含む画像を前記第２の出力部に表示し、前記第２の入力部を用いて選択した１人の送信加入者にしたがって、前記選択された送信加入者の前記送信端末における前記第１の記憶部に記憶された医用画像を要求する信号を前記第２の通信部を経て前記受信端末から前記送信端末に送信することを特徴とする医用情報提供システム。
【請求項２０】
請求項１７〜１９に記載の医用情報提供システムにおいて、
前記受信端末の第２の出力部に表示された画像は、複数の前記送信加入者の名称の他、前記送信加入者の電話番号又は住所が一覧可能であることを特徴とする医用情報提供システム。
【請求項２１】
請求項２０に記載の医用情報提供システムにおいて、
前記受信端末の第２の出力部に表示された画像には、一覧された複数の前記送信加入者の名称について、五十音順、アルファベット順もしくは地域順に一覧し、又は、一覧されている順序を反転して一覧するスイッチが表示され、前記スイッチが表示された画像は、操作されたスイッチにしたがった順序で複数の前記送信加入者を一覧可能であることを特徴とする医用情報提供システム。
【請求項２２】
請求項１７〜２１のいずれかに記載の医用情報提供システムにおいて、
前記受信端末の第２の入力部を用いて前記送信加入者の医用画像を要求するとき、前記第２の入力部を用いて、被検者の医用画像であることを示す氏名の他、性別、生年月日、住所又は保険証番号を入力することにより、前記医用画像の被検者が特定されることを特徴とする医用情報提供システム。
【請求項２３】
請求項２２に記載の医用情報提供システムにおいて、
前記受信端末の第２の入力部を用いて前記特定された被検者の医用画像を要求するとき、前記第２の入力部を用いて、前記医用画像を要求する前記送信加入者の部門を選択し、前記第２の出力部の画像に前記選択された部門で保存する複数の医用画像のリストが表示され、前記第２の入力部を用いて、前記表示された複数の医用画像のリストから要求する医用画像を選択することにより、要求する医用画像が特定されることを特徴とする医用情報提供システム。
【請求項２４】
請求項１７〜２３のいずれかに記載の医用情報提供システムにおいて、
前記受信端末の第２の入力部において、前記第２の入力部を用いて入力される前記医用画像が記録された年月日についての期間に、入力可能な最大の期間が定められたことを特徴とする医用情報提供システム。
【請求項２５】
請求項１７〜２４のいずれかに記載の医用情報提供システムにおいて、
前記送信端末の第１の制御部は、要求された前記医用画像が前記１の記憶部に記憶されていないことを検出したとき、前記記憶されていない旨を示す信号を前記第１の通信部を経て前記送信端末から前記受信端末に送信することを特徴とする医用情報提供システム。
【請求項２６】
請求項２５に記載の医用情報提供システムにおいて、
前記送信端末の第１の制御部は、前記第１の通信部を経て前記記憶されていない旨を示す信号を連続して所定の複数回受信したとき、前記送信端末と前記受信端末との接続を中止することを特徴とする医用情報提供システム。
【請求項２７】
請求項１〜２６のいずれか記載の医用情報提供システムにおいて、
前記医用画像はＸ線ＣＴ、ＭＲＩ、超音波、ＰＥＴ、デジタル化されたＸ線およびＣＲの少なくとも一つに係る画像であることを特徴とする医用情報提供システム。
【請求項２８】
請求項１〜２７のいずれかに記載の医用情報提供システムで用いられる送信端末。
【請求項２９】
請求項１〜２７のいずれかに記載の医用情報提供システムで用いられる受信端末。
【請求項３０】
請求項１〜２７のいずれかに記載の医用情報提供システムで用いられる仲介端末。
【請求項３１】
請求項１５又は請求項１６に記載の医用情報提供システムで用いられる配信端末。
【発明の詳細な説明】
【技術分野】
【０００１】
本発明は、医用情報提供方法、医用情報提供システム、送信端末、受信端末、仲介端末、配信端末および記憶媒体に関する。さらに詳しくは、煩雑な契約や調査を要さずに、多数の相手と、ネットワークを介して、医用情報を送信または受信することができる医用情報提供方法、医用情報提供システム、送信端末、受信端末、仲介端末、配信端末および記憶媒体に関する。
【背景技術】
【０００２】
ある病院で撮影した医用画像を別の病院で利用するために、ある病院の端末から別の病院の端末へとネットワークを介して医用画像を送信する医用情報提供システムが知られている。
【発明の概要】
【発明が解決しようとする課題】
【０００３】
従来の医用情報提供システムには、次の問題点がある。
（１）送信側と受信側とが契約している必要がある。換言すれば、相手の数だけ契約を結ぶ必要があり、煩雑である。このため、事実上、相手が少数に制限されている。
（２）端末で相手アドレスを入力して接続する必要がある。しかし、相手が多数になると操作者が相手アドレスを覚えきれなくなるため、いちいち相手アドレスを調査する手間がかかり、煩雑である。このため、事実上、相手が少数に制限されている。そこで、本発明の目的は、煩雑な契約や調査を要さずに、多数の相手と、ネットワークを介して、医用情報を送信または受信することができる医用情報提供方法およびシステムを提供することにある。また、そのための送信端末、受信端末、仲介端末、配信端末および記憶媒体を提供することにある。
【課題を解決するための手段】
【０００４】
第１の観点では、本発明は、医用情報を送信可能な送信加入者と医用情報を受信可能な受信加入者と医用情報仲介センターとをネットワークで接続し、前記送信加入者が保持する医用情報を前記受信加入者が受信するための交渉を前記医用情報仲介センターがネットワークを介して行うことを特徴とする医用情報提供方法を提供する。上記第１の観点による医用情報提供方法では、送信加入者が保持する医用情報を受信加入者が受信するための交渉を医用情報仲介センターがネットワークを介して行う。そこで、送信加入者は医用情報仲介センターとのみ契約すればよく、受信加入者と個々に契約する必要はない。同様に、受信加入者も医用情報仲介センターとのみ契約すればよく、送信加入者と個々に契約する必要はない。よって、煩雑な契約を要さずに、多数の相手と、ネットワークを介して、医用情報を送信または受信することが出来るようになる。さらに、医用情報仲介センター側でセキュリティを厳重に管理できるので、送信加入者や受信加入者側でのセキュリティ管理の負担を軽減できるようになる。
【０００５】
第２の観点では、本発明は、上記構成の医用情報提供方法において、前記送信加入者および受信加入者の少なくとも一方が前記医用情報仲介センターに前記交渉の開始を要求しうることを特徴とする医用情報提供方法を提供する。上記第２の観点による医用情報提供方法では、患者が現在通院している病院が近い将来に行くであろう病院へ当該患者の医用情報を届けておきたい場合には、送信加入者が医用情報仲介センターに交渉の開始を要求することで対応しうる。また、現在通院している病院が過去に行っていた病院から医用情報を取り寄せたい場合には、受信加入者が医用情報仲介センターに交渉の開始を要求することで対応しうる。
【０００６】
第３の観点では、本発明は、上記構成の医用情報提供方法において、前記送信加入者および前記受信加入者以外の第三者が前記医用情報仲介センターに前記交渉の開始を要求しうることを特徴とする医用情報提供方法を提供する。上記第３の観点による医用情報提供方法では、患者が過去に通院していた病院から近い将来に行くであろう病院へと自分の医用情報を届けておきたい場合には、前記第三者として患者が医用情報仲介センターに交渉の開始を要求することで対応しうる。
【０００７】
第４の観点では、本発明は、上記構成の医用情報提供方法において、前記交渉の開始を要求した者に対して前記医用情報仲介センターが加入者情報を提供し、前記交渉の開始を要求した者は該加入者情報に基づいて送信加入者および受信加入者の少なくとも一方を特定することを特徴とする医用情報提供方法を提供する。上記第４の観点による医用情報提供方法では、医用情報仲介センターがネットワークを介して加入者情報を提供し、これを基にして送信加入者や受信加入者を特定できるので、前記交渉の開始を要求した者は、いちいち相手アドレスを調査する必要がない。よって、煩雑な調査を要さずに、多数の相手と、ネットワークを介して、医用情報を送信または受信できるようになる。
【０００８】
第５の観点では、本発明は、医用情報を送信可能な送信加入者と医用情報を受信可能な受信加入者と医用情報仲介センターとをネットワークで接続し、前記送信加入者は前記医用情報仲介センターに対してネットワークを介して医用情報を送信し、前記医用情報仲介センターは前記受信加入者に対してネットワークを介して前記医用情報を転送することを特徴とする医用情報提供方法を提供する。上記第５の観点による医用情報提供方法では、医用情報の転送を医用情報仲介センターがネットワークを介して行うので、送信加入者はネットワークを介して医用情報仲介センターに医用情報を送信すればよく、また、受信加入者はネットワークを介して医用情報仲介センターから医用情報を受信すればよい。そこで、送信加入者は医用情報仲介センターとのみ契約すればよく、受信加入者と個々に契約する必要はない。同様に、受信加入者も医用情報仲介センターとのみ契約すればよく、送信加入者と個々に契約する必要はない。よって、煩雑な契約を要さずに、多数の相手と、ネットワークを介して、医用情報を送信または受信することが出来るようになる。さらに、医用情報仲介センター側でセキュリティを厳重に管理できるので、送信加入者や受信加入者側でのセキュリティ管理の負担を軽減できる。
【０００９】
第６の観点では、本発明は、医用情報をネットワークを介して送信可能な送信端末と、前記医用情報をネットワークを介して受信可能な受信端末と、前記送信端末が保持する医用情報を前記受信端末が受信するための交渉をネットワークを介して行う仲介端末とを具備することを特徴とする医用情報提供システムを提供する。上記第６の観点による医用情報提供システムでは、上記第１の観点の医用情報提供方法を好適に実施しうる。
【００１０】
第７の観点では、本発明は、上記構成の医用情報提供システムにおいて、前記送信端末および前記受信端末の少なくとも一方が前記仲介端末に前記交渉の開始を要求しうることを特徴とする医用情報提供システムを提供する。上記第７の観点による医用情報提供システムでは、上記第２の観点の医用情報提供方法を好適に実施しうる。
【００１１】
第８の観点では、本発明は、上記構成の医用情報提供システムにおいて、前記送信端末および前記受信端末以外の端末であってネットワークを介して前記仲介端末に前記交渉の開始を要求しうる配信端末を具備したことを特徴とする医用情報提供システムを提供する。上記第８の観点による医用情報提供システムでは、上記第３の観点の医用情報提供方法を好適に実施しうる。
【００１２】
第９の観点では、本発明は、上記構成の医用情報提供システムにおいて、前記交渉の開始を要求した端末に対して前記仲介端末が端末情報を提供し、前記交渉の開始を要求した端末は該端末情報に基づいて送信端末および受信端末の少なくとも一方を特定することを特徴とする医用情報提供システムを提供する。上記第９の観点による医用情報提供システムでは、上記第４の観点の医用情報提供方法を好適に実施しうる。
【００１３】
第１０の観点では、本発明は、医用情報をネットワークを介して送信可能な送信端末と、前記医用情報をネットワークを介して受信可能な受信端末と、前記送信端末が送信した医用情報をネットワークを介して受信し前記受信端末へとネットワークを介して転送する仲介端末とを具備することを特徴とする医用情報提供システムを提供する。上記第１０の観点による医用情報提供システムでは、上記第５の観点の医用情報提供方法を好適に実施しうる。
【００１４】
第１１の観点では、本発明は、医用情報をネットワークを介して送信可能な送信端末と、前記医用情報をネットワークを介して受信可能な受信端末とからなる医用情報提供システムであって、前記送信端末は、医用情報の受信側となりうる受信端末のリストを操作者に提示する関連情報処理手段と、前記リストを基に操作者が選択した受信端末へ医用情報を送信する医用情報処理手段とを具備することを特徴とする医用情報提供システムを提供する。上記第１１の観点による医用情報提供システムでは、医用情報の受信側となりうる受信端末のリストを送信端末が操作者に提示し、これを基にして送信端末の操作者が受信端末を特定できるので、送信端末の操作者は受信端末のアドレスをいちいち調査する必要がない。よって、多数の受信端末があっても、煩雑な調査を要さずに、ネットワークを介して、医用情報を送信できるようになる。
【００１５】
第１２の観点では、本発明は、医用情報をネットワークを介して送信可能な送信端末と、前記医用情報をネットワークを介して受信可能な受信端末とからなる医用情報提供システムであって、前記受信端末は、医用情報の送信側となりうる送信端末のリストを操作者に提示する関連情報処理手段と、前記リストを基に操作者が選択した送信端末から医用情報を受信する医用情報処理手段とを具備することを特徴とする医用情報提供システムを提供する。上記第１２の観点による医用情報提供システムでは、医用情報の送信側となりうる送信端末のリストを受信端末が操作者に提示し、これを基にして受信端末の操作者が送信端末を特定できるので、受信端末の操作者は送信端末のアドレスをいちいち調査する必要がない。よって、多数の送信端末があっても、煩雑な調査を要さずに、ネットワークを介して、医用情報を受信できるようになる。
【００１６】
第１３の観点では、本発明は、上記構成の医用情報提供システムにおいて、前記送信端末および受信端末は、新規に起動された時に前記仲介端末に対してネットワークを介して新規加入を申請する新規加入申請手段を具備し、前記仲介端末は、前記申請を受けて前記端末情報を更新する端末情報更新手段を具備することを特徴とする医用情報提供システムを提供する。上記第１３の観点による医用情報提供システムでは、端末が新規に起動された時に、仲介端末が保持している端末情報を自動更新することが出来る。
【００１７】
第１４の観点では、本発明は、上記構成の医用情報提供システムにおいて、前記受信端末は、新規に起動された時に前記送信端末に対してネットワークを介して新規加入を申請する新規加入申請手段を具備し、前記送信端末は、前記申請を受けて前記受信端末のリストを更新する受信端末リスト更新手段を具備することを特徴とする医用情報提供システムを提供する。上記第１４の観点による医用情報提供システムでは、受信端末が新規に起動された時に、送信端末が保持している受信端末のリストを自動更新することが出来る。
【００１８】
第１５の観点では、本発明は、上記構成の医用情報提供システムにおいて、前記送信端末は、新規に起動された時に前記受信端末に対してネットワークを介して新規加入を申請する新規加入申請手段を具備し、前記受信端末は、前記申請を受けて前記送信端末のリストを更新する送信端末リスト更新手段を具備することを特徴とする医用情報提供システムを提供する。上記第１５の観点による医用情報提供システムでは、送信端末が新規に起動された時に、受信端末が保持している送信端末のリストを自動更新することが出来る。
【００１９】
第１６の観点では、本発明は、上記構成の医用情報提供システムで用いられる送信端末を提供する。上記第１６の観点による送信端末により、上記構成の医用情報提供システムを好適に構成できる。
【００２０】
第１７の観点では、本発明は、上記構成の医用情報提供システムで用いられる受信端末を提供する。上記第１７の観点による受信端末により、上記構成の医用情報提供システムを好適に構成できる。
【００２１】
第１８の観点では、本発明は、上記構成の医用情報提供システムで用いられる仲介端末を提供する。上記第１８の観点による仲介端末により、上記構成の医用情報提供システムを好適に構成できる。
【００２２】
第１９の観点では、本発明は、上記構成の医用情報提供システムで用いられる配信端末を提供する。上記第１９の観点による配信端末により、上記構成の医用情報提供システムを好適に構成できる。
【００２３】
第２０の観点では、本発明は、上記構成の医用情報提供方法において、前記加入者リストで複数の加入者を提示する順序を操作者の選択に応じて変更することを特徴とする医用情報提供方法を提供する。上記第２０の観点による医用情報提供方法では、操作者の選択に応じた順序で複数の加入者を提示するので、所望の加入者を見つけやすくなる。
【００２４】
第２１の観点では、本発明は、上記構成の医用情報提供システムにおいて、前記端末情報で複数の端末を提示する順序を操作者の選択に応じて変更しうることを特徴とする医用情報提供システム。上記第２１の観点による医用情報提供方法では、操作者の選択に応じた順序で複数の端末を提示するので、所望の端末を見つけやすくなる。
【００２５】
第２２の観点では、本発明は、上記構成の医用情報提供システムにおいて、前記受信端末のリストで複数の受信端末を提示する順序を操作者の選択に応じて変更しうることを特徴とする医用情報提供システムを提供する。上記第２２の観点による医用情報提供システムでは、操作者の選択に応じた順序で複数の受信端末を提示するので、所望の受信端末を見つけやすくなる。
【００２６】
第２３の観点では、本発明は、上記構成の医用情報提供システムにおいて、前記送信端末のリストで複数の送信端末を提示する順序を操作者の選択に応じて変更しうることを特徴とする医用情報提供システムを提供する。上記第２３の観点による医用情報提供システムでは、操作者の選択に応じた順序で複数の送信端末を提示するので、所望の送信端末を見つけやすくなる。
【００２７】
第２４の観点では、本発明は、上記構成の医用情報提供方法において、前記加入者リストで加入者の住所も提示することを特徴とする医用情報提供方法を提供する。上記第２４の観点による医用情報提供方法では、加入者の住所も提示するので、所望の加入者を見つけやすくなる。
【００２８】
第２５の観点では、本発明は、上記構成の医用情報提供システムにおいて、前記複数の端末の所在場所も提示することを特徴とする医用情報提供システムを提供する。上記第２５の観点による医用情報提供システムでは、端末の所在場所も提示するので、所望の端末を見つけやすくなる。
【００２９】
第２６の観点では、本発明は、上記構成の医用情報提供システムにおいて、前記受信端末の所在場所も提示することを特徴とする医用情報提供システムを提供する。上記第２６の観点による医用情報提供システムでは、受信端末の所在場所も提示するので、所望の受信端末を見つけやすくなる。
【００３０】
第２７の観点では、本発明は、上記構成の医用情報提供システムにおいて、前記送信端末の所在場所も提示することを特徴とする医用情報提供システムを提供する。上記第２７の観点による医用情報提供システムでは、送信端末の所在場所も提示するので、所望の送信端末を見つけやすくなる。
【００３１】
第２８の観点では、本発明は、上記構成の医用情報提供方法において、１回の接続で医用情報を受信または送信できる量を該医用情報の作成日時を基にして制限することを特徴とする医用情報提供方法を提供する。上記第２８の観点による医用情報提供方法では、１回の接続で受信または送信できる医用情報の量を例えば３年分とかに制限できるので、セキュリティを向上できる。
【００３２】
第２９の観点では、本発明は、上記構成の医用情報提供システムにおいて、１回の接続で医用情報を受信または送信できる量を該医用情報の作成日時を基にして制限することを特徴とする医用情報提供システムを提供する。上記第２９の観点による医用情報提供システムでは、１回の接続で受信または送信できる医用情報の量を例えば３年分とかに制限できるので、セキュリティを向上できる。
【００３３】
第３０の観点では、本発明は、上記構成の医用情報提供方法において、前記医用情報は医用画像を含み、該医用画像はＸ線ＣＴ（Computed Tomography）、ＭＲＩ（Magnetic Resonance Imaging）、超音波、ＰＥＴ（Positron Emission computed Tomography）、デジタル化されたＸ線（デジタルＸ線撮影およびＸ線フイルムのデジタル化）およびＣＲ（Computed Radiography）の少なくとも一つに係る画像であることを特徴とする医用情報提供方法を提供する。上記第３０の観点による医用情報提供方法では、医用画像を有効利用できる。
【００３４】
第３１の観点では、本発明は、上記構成の医用情報提供システムにおいて、前記医用情報は医用画像を含み、該医用画像はＸ線ＣＴ、ＭＲＩ、超音波、ＰＥＴ、デジタル化されたＸ線およびＣＲの少なくとも一つに係る画像であることを特徴とする医用情報提供システムを提供する。上記第３１の観点による医用情報提供システムでは、医用画像を有効利用できる。
【００３５】
第３２の観点では、本発明は、医用情報をネットワークを介して送信可能な送信端末であって、該送信端末は、医用情報の受信側となりうる受信端末のリストを操作者に提示する関連情報処理手段と、前記リストを基に操作者が選択した受信端末へ医用情報を送信する医用情報処理手段とを具備することを特徴とする送信端末を提供する。上記第３２の観点による送信端末では、医用情報の受信側となりうる受信端末のリストを操作者に提示し、これを基にして送信端末の操作者が受信端末を特定できるので、送信端末の操作者は受信端末のアドレスをいちいち調査する必要がない。よって、多数の受信端末があっても、煩雑な調査を要さずに、ネットワークを介して、医用情報を送信できるようになる。
【００３６】
第３３の観点では、本発明は、医用情報をネットワークを介して受信可能な受信端末であって、該受信端末は、医用情報の送信側となりうる送信端末のリストを操作者に提示する関連情報処理手段と、前記リストを基に操作者が選択した送信端末から医用情報を受信する医用情報処理手段とを具備することを特徴とする受信端末を提供する。上記第３３の観点による受信端末では、医用情報の送信側となりうる送信端末のリストを操作者に提示し、これを基にして受信端末の操作者が送信端末を特定できるので、受信端末の操作者は送信端末のアドレスをいちいち調査する必要がない。よって、多数の送信端末があっても、煩雑な調査を要さずに、ネットワークを介して、医用情報を送信できるようになる。
【００３７】
第３４の観点では、本発明は、上記構成の送信端末において、前記受信端末のリストで複数の受信端末を提示する順序を操作者の選択に応じて変更しうることを特徴とする送信端末を提供する。上記第３４の観点による送信端末では、操作者の選択に応じた順序で複数の受信端末を提示するので、所望の受信端末を見つけやすくなる。
【００３８】
第３５の観点では、本発明は、上記構成の受信端末において、前記送信端末のリストで複数の送信端末を提示する順序を操作者の選択に応じて変更しうることを特徴とする受信端末を提供する。上記第３５の観点による受信端末では、操作者の選択に応じた順序で複数の送信端末を提示するので、所望の送信端末を見つけやすくなる。
【００３９】
第３６の観点では、本発明は、上記構成の送信端末において、前記受信端末のリストで受信端末の所在場所も提示することを特徴とする送信端末を提供する。上記第３６の観点による送信端末では、受信端末の所在場所も提示するので、所望の受信端末を見つけやすくなる。
【００４０】
第３７の観点では、本発明は、上記構成の受信端末において、前記送信端末のリストで送信端末の所在場所も提示することを特徴とする受信端末を提供する。上記第３７の観点による受信端末では、送信端末の所在場所も提示するので、所望の送信端末を見つけやすくなる。
【００４１】
第３８の観点では、本発明は、上記構成の送信端末において、１回の接続で医用情報を送信できる量を該医用情報の作成日時を基にして制限することを特徴とする送信端末を提供する。上記第３８の観点による送信端末では、１回の接続で送信できる医用情報の量を例えば３年分とかに制限できるので、セキュリティを向上できる。
【００４２】
第３９の観点では、本発明は、上記構成の受信端末において、１回の接続で医用情報を受信できる量を該医用情報の作成日時を基にして制限することを特徴とする受信端末。上記第３９の観点による受信端末では、１回の接続で受信できる医用情報の量を例えば３年分とかに制限できるので、セキュリティを向上できる。
【００４３】
第４０の観点では、本発明は、上記構成の送信端末において、前記医用情報は医用画像を含み、該医用画像はＸ線ＣＴ、ＭＲＩ、超音波、ＰＥＴ、デジタル化されたＸ線およびＣＲの少なくとも一つに係る画像であることを特徴とする送信端末を提供する。上記第４０の観点による送信端末では、医用画像を有効利用できる。
【００４４】
第４１の観点では、本発明は、上記構成の受信端末において、前記医用情報は医用画像を含み、該医用画像はＸ線ＣＴ、ＭＲＩ、超音波、ＰＥＴ、デジタル化されたＸ線およびＣＲの少なくとも一つに係る画像であることを特徴とする受信端末を提供する。上記第４１の観点による受信端末では、医用画像を有効利用できる。
【００４５】
第４２の観点では、本発明は、端末で実行することにより該端末が上記構成の送信端末として機能するプログラムを記憶した記憶媒体を提供する。上記第４２の観点による記憶媒体を利用することにより、上記構成の送信端末を好適に構成できる。
【００４６】
第４３の観点では、本発明は、端末で実行することにより該端末が上記構成の受信端末として機能するプログラムを記憶した記憶媒体を提供する。上記第４３の観点による記憶媒体を利用することにより、上記構成の受信端末を好適に構成できる。
【００４７】
第４４の観点では、本発明は、端末で実行することにより該端末が上記構成の配信端末として機能するプログラムを記憶した記憶媒体を提供する。上記第４４の観点による記憶媒体を利用することにより、上記構成の配信端末を好適に構成できる。
【発明の効果】
【００４８】
本発明の医用画像提供方法、医用情報提供システム、送信端末、受信端末、仲介端末、配信端末および記憶媒体によれば、煩雑な契約や調査を要さずに、多数の相手と、ネットワークを介して、医用情報を共用できる。
【図面の簡単な説明】
【００４９】
【図１】本発明の一実施形態にかかる医用情報提供システムの構成図である。
【図２】本発明の一実施形態にかかる医用情報仲介センターの構成図である。
【図３】ＳＲ１個人が医用情報仲介センターを介してＳＲ１病院から医用情報をダウンロードする処理のフロー図である。
【図４】図３の続きのフロー図である。
【図５】関連情報処理画面Ｇ１の例示図である。
【図６】関連情報処理画面Ｇ２の例示図である。
【図７】関連情報処理画面Ｇ３の例示図である。
【図８】関連情報処理画面Ｇ４の例示図である。
【図９】関連情報処理画面Ｇ５の例示図である。
【図１０】関連情報処理画面Ｇ６の例示図である。
【図１１】医用情報処理画面Ｈ１の例示図である。
【図１２】ＳＲ１個人が医用情報仲介センターを介してＳＲ２病院へ医用情報をアップロードする処理のフロー図である。
【図１３】関連情報処理画面Ｇ７の例示図である。
【図１４】関連情報処理画面Ｇ８の例示図である。
【図１５】関連情報処理画面Ｇ９の例示図である。
【図１６】関連情報処理画面Ｇ１０の例示図である。
【図１７】関連情報処理画面Ｇ１１の例示図である。
【図１８】医用情報処理画面Ｈ２の例示図である。
【図１９】ＳＲ１個人が医用情報仲介センターを介してＳＲ１病院からＳＲ２病院へ医用情報を配信する処理のフロー図である。
【図２０】図１９の続きのフロー図である。
【図２１】関連情報処理画面Ｇ１２の例示図である。
【図２２】関連情報処理画面Ｇ１３の例示図である。
【図２３】関連情報処理画面Ｇ１４の例示図である。
【図２４】関連情報処理画面Ｇ１５の例示図である。
【図２５】関連情報処理画面Ｇ１６の例示図である。
【図２６】関連情報処理画面Ｇ１７の例示図である。
【図２７】医用情報処理画面Ｈ３の例示図である。
【図２８】ＳＲ１個人が医用情報仲介センターを介してＳＲ１病院と交渉しＳＲ１病院から医用情報をダウンロードする処理のフロー図である。
【図２９】ＳＲ１個人が医用情報仲介センターを介してＳＲ２病院と交渉しＳＲ２病院へ医用情報をアップロードする処理のフロー図である。
【図３０】ＳＲ１個人が医用情報仲介センターを介してＳＲ２病院と交渉しＳＲ２病院へ医用情報をアップロードする処理の別のフロー図である。
【図３１】ＳＲ１個人がＳＲ１病院と交渉し医用情報をダウンロードする処理のフロー図である。
【図３２】ＳＲ１個人がＳＲ２病院と交渉し医用情報をアップロードする処理のフロー図である。
【発明を実施するための形態】
【００５０】
以下、図に示す実施の形態により本発明を詳細に説明する。なお、これにより本発明が限定されるものではない。
【００５１】
−第１の実施形態−図１は、本発明の第１の実施形態にかかる医用情報提供システム１０００を示すブロック図である。この医用情報提供システム１０００は、インターネット，ＬＡＮ（Local Area Network），ＷＡＮ（Wide Area Network）のようなネットワーク１と、そのネットワーク１に接続されたＳＲ１病院１１、ＳＲ２病院１２、Ｓ１病院２１、Ｓ２病院２２、Ｒ１病院３１、Ｒ２病院３２、ＳＲ１個人４１、ＳＲ２個人４２および医用情報仲介センター１００を具備して構成されている。なお、ネットワーク１がインターネットの場合、前記医用情報仲介センター１００と契約していない端末である非加入者５０もネットワーク１に接続している。また、セキュリティの観点から、ＳＳＬ（Secure Socket Layer Protocol）等を利用するのが好ましい。
【００５２】
前記ＳＲ１病院１１，前記ＳＲ２病院１２，前記ＳＲ１個人４１および前記ＳＲ２個人は、それぞれ医用情報仲介センター１００と送信加入者および受信加入者として契約しており、医用情報仲介センター１００から配布された記憶媒体（ＣＤ−ＲＯＭ、ＦＤなど）に記録された送受信加入者用プログラムまたはネットワーク１を介して配布された送受信加入者用プログラムを各端末で実行することにより送信加入者および受信加入者として機能しており、ネットワーク１を介して医用画像を送信すること及び医用画像を受信することが可能である。
【００５３】
前記Ｓ１病院２１および前記Ｓ２病院２２は、それぞれ医用情報仲介センター１００と送信加入者として契約しており、医用情報仲介センター１００から配布された記憶媒体に記録された送信加入者用プログラムまたはネットワーク１を介して配布された送信加入者用プログラムを各端末で実行することにより送信加入者として機能しており、ネットワーク１を介して医用画像を送信することが可能である。
【００５４】
前記Ｒ１病院３１および前記Ｒ２病院３２は、それぞれ医用情報仲介センター１００と受信加入者として契約しており、医用情報仲介センター１００から配布された記憶媒体に記録された受信加入者用プログラムまたはネットワーク１を介して配布された受信加入者用プログラムを各端末で実行することにより受信加入者として機能しており、ネットワーク１を介して医用画像を受信することが可能である。
【００５５】
前記医用情報仲介センター１００は、送信加入者が保持する医用画像を受信加入者が受信することを仲介する内容の契約を送信加入者および受信加入者と個々に結んでいる。この契約の反射として、加入者間では相互に契約を結んでいない（結ぶ必要がない）。そして、該医用情報仲介センター１００は、送信加入者が保持する医用画像を受信加入者が受信するための交渉をネットワーク１を介して行うと共に、送信加入者からネットワーク１を介して医用画像を送信し受信加入者に対してネットワーク１を介して転送する。また、セキュリティの管理も行っている。
【００５６】
前記医用情報仲介センター１００は、加入者情報を保持している。この加入者情報の作成・更新は、次のように行なう。
（１）新規加入者は、医用情報仲介センターと契約し、契約内容に応じたプログラムを記憶した記憶媒体を受け取る。または、前記プログラムをネットワーク１を介してダウンロードする。
（２）新規加入者がプログラムをインストールし最初に起動した時に自動的にネットワーク１を介して医用情報仲介センター１００に加入者情報の更新を要求する。すると、医用情報仲介センター１００では、新規の加入者を加入者情報に加える。
（３）加入者の契約解除に基づいて医用情報仲介センター１００が当該加入者を加入者情報から削除する。
【００５７】
なお、医用情報仲介センターは、契約時に加入料を受け取る。また、加入者情報の保守更新や不正アクセスがあった場合の不正アクセス経路情報の加入者への提供などのサービスに対する管理料を、一定期間ごとに、又は、不定期に受け取る。さらに、前記プログラムの販売も行う。
【００５８】
図２は、前記ＳＲ１病院１１および前記医用情報仲介センター１００の構成ブロック図である。ＳＲ１病院１１は、通信部１０Ａと、入力部１０Ｂと、出力部１０Ｃと、セキュリティ管理部１０Ｄと、関連情報処理部１０Ｅと、医用情報処理部１０Ｆと、データベース管理部１０Ｇと、データバッファ部１０Ｈと、データベース部１０Ｉとを具備しており、送受信加入者用プログラムの制御下で動作している。前記データベース部１０Ｈは、医用情報を蓄積する磁気ディスクなどである。前記データバッファ部１０Ｈは、送信する医用情報や受信した医用情報を一時的に保持し、必要に応じてウイルスチェックなどの処理を施すのに用いる。前記処理後に、医用情報を送信したり、前記データベース部１０Ｈに格納したりする。
【００５９】
前記医用情報は、医用画像およびカルテ診断記録である。前記医用画像は、Ｘ線ＣＴ、ＭＲＩ、超音波、ＰＥＴ、デジタル化されたＸ線およびＣＲの少なくとも一つに係る画像である。
【００６０】
前記ＳＲ２病院１２、Ｓ１病院２１、Ｓ２病院２２、Ｒ１病院３１、Ｒ２病院３２、ＳＲ１個人４１およびＳＲ２個人４２の構成も同様である。但し、Ｓ１病院２１およびＳ２病院２２は、送信加入者用プログラムの制御下で動作している。また、Ｒ１病院３１およびＲ２病院３２は、受信加入者用プログラムの制御下で動作している。また、ＳＲ１個人４１およびＳＲ２個人４２は、データベースシステムを持たないことが多い。
【００６１】
医用情報仲介センター１００は、通信部１０Ａと、入力部１０Ｂと、出力部１０Ｃと、セキュリティ管理部１０Ｄと、関連情報処理部１０Ｅと、医用情報処理部１０Ｆとを具備しており、医用情報仲介プログラムの制御下で動作している。
【００６２】
次に、図３〜図１１を参照して、受信加入者が医用画像を送信加入者からダウンロードする動作を説明する。なお、受信加入者としてＳＲ１個人４１を想定し、送信加入者としてＳＲ１病院１１を想定する。最初は、受信加入者であるＳＲ１個人４１（の端末）では、ＳＲ１個人４１の関連情報処理部１０Ｅが、図５に示す如き関連情報処理画面Ｇ１を出力部１０Ｃに表示している。操作者が、ＳＲ１個人４１の入力部１０Ｂを操作して、「受信」を選択すると、ＳＲ１個人４１の関連情報処理部１０Ｅは、図６に示す如き関連情報処理画面Ｇ２を出力部１０Ｃに表示する。操作者は、入力部１０Ｂを操作して、医用画像を受信する適当な部門を特定し、「次へ」を選択する。すると、図３のステップｒ１に進む。また、「戻る」を選択すると、図５の関連情報処理画面Ｇ１を表示する処理に戻る。なお、医用画像を受信する部門が唯一つしかない場合は、図５の関連情報処理画面Ｇ１から、図６の関連情報処理画面Ｇ２を経ずに、ステップｒ１へ進む。
【００６３】
ステップｒ１では、ＳＲ１個人４１の関連情報処理部１０Ｅは、医用情報仲介センター１００に対して、ネットワーク１上の通信回線を接続し、ネットワーク１を介して、「受信」選択時の加入者情報を要求する。
【００６４】
ステップｃ１では、医用情報仲介センター１００（の端末）の関連情報処理部１０Ｅが、前記「受信」選択時の加入者情報要求を受信する。ステップｃ２では、医用情報仲介センター１００のセキュリティ管理部１０Ｄは、前記要求の正当性をチェックし、正当でなければステップｃ３へ進み、正当であればステップｃ４へ進む。この正当性のチェックは、ネットワークアドレスや電話番号のチェック、パスワードのチェック、ＩＤカードのチェックなど、公知の通信回線接続用の正当性チェック方法を用いる。さらに、ＳＲ１個人４１の端末に図示せぬ代金請求画面を表示して接続料を請求し、預金口座からの振込やクレジットカードや支払い代行サービスで支払う操作を前記代金請求画面でＳＲ１個人４１が行ったなら正当とし、行われなかったなら正当でないと見なす。ステップｃ３では、通信回線を切断する。ステップｃ４では、医用情報仲介センター１００の関連情報処理部１０Ｅは、ＳＲ１個人４１に対して、ネットワーク１を介して、「受信」選択時の加入者情報を送信する。ここで、「受信」選択時の加入者情報は、送信加入者および住所のリストである。
【００６５】
ステップｒ２では、ＳＲ１個人４１の関連情報処理部１０Ｅが、前記「受信」選択時の加入者情報を受信する。ステップｒ３では、ＳＲ１個人４１の関連情報処理部１０Ｅが、前記「受信」選択時の加入者情報に基づき、出力部１０Ｃに、図７に示す如き関連情報処理画面Ｇ３を表示する。この関連情報処理画面Ｇ３では、送信加入者とその住所のリストが表示される。操作者が「五十音順」を選択すると、前記リストが五十音順にソートされる。また、「地域順」を選択すると、前記リストが北から南への地域順（都道府県市町村順）にソートされる。また、「順反転」を選択すると、逆五十音順または南から北への地域順にソートされる。なお、「アルファベット順」などを設けてもよい。そこで、操作者は、リストをスクロールして所望の送信加入者を選択したり、名称や住所や電話番号などのキーによって送信加入者を検索し、送信加入者を特定し、「次へ」を選択する。なお、「戻る」を選択すると、通信回線を切断して、図５の関連情報処理画面Ｇ１を表示する処理に戻る。操作者が送信加入者を特定し「次へ」を選択すると、関連情報処理部１０Ｅが、出力部１０Ｃに、図８に示す如き関連情報処理画面Ｇ４を表示する。そこで、操作者は、患者情報（氏名，性別，生年月日，住所，保険証番号）および当該患者の医用画像にネットワーク１を介してアクセスするための暗証番号を入力し、「次へ」を選択する。ここで、暗証番号の入力に代えて又はそれに加えて、ＳＲ１病院１１が発行した患者カードの記録情報をカードリーダで読み取ってもよい。なお、「戻る」を選択すると、図７の関連情報処理画面Ｇ３を表示する処理に戻る。操作者が図８の関連情報処理画面Ｇ４で「次へ」を選択すると、関連情報処理部１０Ｅが、出力部１０Ｃに、図９に示す如き関連情報処理画面Ｇ５を表示する。そこで、操作者は、受信したい医用情報を保持しているであろう部門を選択すると共に、受信したい医用情報の期間を指定し、「次へ」を選択する。ここで、セキュリティの観点から、１度に受信できる医用情報の期間が制限されている（図９では最大３年分）。なお、「戻る」を選択すると、図８の関連情報処理画面Ｇ４を表示する処理に戻る。図９に示す如き関連情報処理画面Ｇ５で「次へ」が選択されると、関連情報処理部１０Ｅが、医用情報仲介センター１００に対して、ネットワーク１を介して、特定した送信加入者、患者情報、暗証番号、部門および期間を送信する。
【００６６】
ステップｃ５では、医用情報仲介センター１００の関連情報処理部１０Ｅが、前記特定した送信加入者、患者情報、暗証番号および期間を受信する。ステップｃ６では、医用情報仲介センター１００の関連情報処理部１０Ｅが、特定した送信加入者であるＳＲ１病院１１に対して、ネットワーク１上の通信回線を接続し、ネットワーク１を介して、前記患者情報、暗証番号、部門および期間に係る検索用情報を要求する。
【００６７】
ステップｓ１では、ＳＲ１病院１１（の端末）の関連情報処理部１０Ｅが、前記検索用情報要求を受信する。ステップｓ２では、ＳＲ１病院１１のセキュリティ管理部１０Ｄは、前記要求の正当性をチェックし、正当でなければステップｓ３へ進み、正当であればステップｓ４へ進む。なお、この正当性のチェックは、患者情報，暗証番号（および／または患者カードの記録情報）、部門および期間を、ＳＲ１病院１１に保存している医用情報の管理情報に照合することにより行う。ステップｓ３では、通信回線を切断する。ステップｓ４では、ＳＲ１病院１１の関連情報処理部１０Ｅが、医用情報仲介センター１００に対して、ネットワーク１を介して、前記患者情報，部門および期間に係る検索用情報を送信する。この検索用情報は、医用情報のリストからなっている。但し、該当する医用情報がなければ、「医用情報なし」のメッセージが検索用情報となる。
【００６８】
ステップｃ７では、医用情報仲介センター１００の関連情報処理部１０Ｅは、検索用情報を受信する。但し、「医用情報なし」の検索用情報が３回連続すると、セキュリティの観点から、ＳＲ１個人４１との接続を切断し、ＳＲ１病院１１に対して不審アクセス情報（アクセス日時およびアクセス経路情報）を通知する。なお、ＳＲ１個人４１との接続を切断せずに、ＳＲ１個人４１の端末を図８の関連情報処理画面Ｇ４を表示する処理に強制的に戻すようにしてもよい。ステップｃ８では、医用情報仲介センター１００の関連情報処理部１０Ｅは、ＳＲ１個人４１に対して、ネットワーク１を介して、検索用情報を送信する。
【００６９】
ステップｒ４では、ＳＲ１個人４１の関連情報処理部１０Ｅは、検索用情報を受信する。ステップｒ５では、ＳＲ１個人４１の関連情報処理部１０Ｅが、出力部１０Ｃに、図１０に示す如き関連情報処理画面Ｇ６を表示する。この関連情報処理画面Ｇ６では、選択した部門に保存されている当該患者に係る所望の受信期間内のタイムスタンプを持つ医用情報のリストが表示される。ここで、医用情報には、医用画像とカルテ診断情報の２種類がある。そこで、操作者は、リストから医用情報を特定し、「次へ」を選択する。なお、「戻る」を選択すると、図８の関連情報処理画面Ｇ４を表示する処理に戻る。ステップｒ６では、ＳＲ１個人４１の関連情報処理部１０Ｅは、医用情報仲介センター１００に対して、ネットワーク１を介して、特定した医用情報を要求する。
【００７０】
ステップｃ９では、医用情報仲介センター１００の関連情報処理部１０Ｅが、前記特定した医用情報要求を受信する。そして、ＳＲ１個人４１の端末に図示せぬ代金請求画面を表示して情報受信料を請求し、預金口座からの振込やクレジットカードや支払い代行サービスで支払う操作を前記代金請求画面でＳＲ１個人４１が行ったならステップｃ９へ進み、行われなかったならＳＲ１個人４１との接続を切断する。次に、図４へ進み、要求された医用情報が医用画像なら、医用情報仲介センター１００はステップｃ１０へ進み、ＳＲ１病院１１はステップｓ５へ進み、ＳＲ１個人４１はステップｒ７へ進む。一方、要求された医用情報がカルテ診断記録なら、医用情報仲介センター１００はステップｃ１４へ進み、ＳＲ１病院１１はステップｓ７へ進み、ＳＲ１個人４１はステップｒ９へ進む。なお、要求された医用情報が医用画像でも、医用情報仲介センター１００はステップｃ１４へ進み、ＳＲ１病院１１はステップｓ７へ進み、ＳＲ１個人４１はステップｒ９へ進む、ようにしてもよい。
【００７１】
ステップｃ１０では、医用情報仲介センター１００の関連情報処理部１０Ｅが、ＳＲ１病院１１に対して、ネットワーク１を介して、前記特定した医用画像の簡易医用画像を要求する。
【００７２】
ステップｓ５では、ＳＲ１病院１１の関連情報処理部１０Ｅが、前記特定された医用画像の簡易医用画像要求を受信する。ステップｓ６では、ＳＲ１病院１１の医用情報処理部１０Ｆが、前記特定された医用画像のデータ量を縮めた簡易医用画像を作成し、医用情報仲介センター１００に対して、ネットワーク１を介して、送信する。なお、データ量を縮める方法は、全体の画素数を少なくする方法および階調を少なくする方法の一方または両方である。
【００７３】
ステップｃ１１では、医用情報仲介センター１００の医用情報処理部１０Ｆは、簡易医用画像を受信する。ステップｃ１２では、医用情報仲介センター１００の医用情報処理部１０Ｆは、ＳＲ１個人４１に対して、ネットワーク１を介して、簡易医用画像を送信する。
【００７４】
ステップｒ７では、ＳＲ１個人４１の医用情報処理部１０Ｆは、簡易医用画像を受信し、出力部１０Ｃに、図１１に示す如き医用情報処理画面Ｈ１を表示する。この医用情報処理画面Ｈ１で、操作者は、所望の医用画像であるか否かを確かめて、所望の医用画像であるなら「タ゛ウンロート゛」を選択する。所望の医用画像でないなら「ホーム画面に戻る」または「画像選択画面に戻る」を選択する。なお、「ホーム画面に戻る」を選択すると、図８の関連情報処理画面Ｇ４を表示する処理に戻る。また、「画像選択画面に戻る」を選択すると、図１０の関連情報処理画面Ｇ６を表示する処理に戻る。ステップｒ８では、ＳＲ１個人４１の医用情報処理部１０Ｆは、医用情報仲介センター１００に対して、ネットワーク１を介して、特定した医用画像のダウンロードを要求する。この時、図１１の医用情報処理画面Ｈ１で目的やコメントを入力していると、目的やコメントが電子メールでＳＲ１病院１１へ送られる。
【００７５】
ステップｃ１３では、医用情報仲介センター１００の医用情報処理部１０Ｆは、ダウンロード要求を受信する。
【００７６】
ステップｃ１４では、医用情報仲介センター１００の医用情報処理部１０Ｆが、ＳＲ１病院１１に対して、ネットワーク１を介して、前記特定された医用情報を要求する。
【００７７】
ステップｓ７では、ＳＲ１病院１１の医用情報処理部１０Ｆが、前記医用情報要求を受信する。ステップｓ８では、ＳＲ１病院１１の医用情報処理部１０Ｆが、医用情報仲介センター１００に対して、ネットワーク１を介して、前記特定された医用情報を送信する。
【００７８】
ステップｃ１５では、医用情報仲介センター１００の医用情報処理部１０Ｆは、前記特定された医用情報を受信する。ステップｃ１６では、医用情報仲介センター１００の医用情報処理部１０Ｆは、ＳＲ１個人４１に対して、ネットワーク１を介して、前記特定された医用情報を送信する。
【００７９】
ステップｒ９では、ＳＲ１個人４１の医用情報処理部１０Ｆは、前記特定した医用情報を受信し、前記特定した部門に保存する。
【００８０】
以上により、ＳＲ１病院１１とＳＲ１個人４１とがそれぞれ医用情報仲介センター１００と契約していれば、ＳＲ１病院１１とＳＲ１個人４１とが直接契約していなくても、ＳＲ１病院１１が保持している医用情報をＳＲ１個人４１がネットワーク１を介して入手できるようになる。
【００８１】
次に、図１２〜図１８を参照して、送信加入者が医用情報を受信加入者へアップロードする動作を説明する。なお、送信加入者としてＳＲ１個人４１を想定し、受信加入者としてＳＲ２病院１２を想定する。最初は、送信加入者であるＳＲ１個人４１では、図５に示す如き関連情報処理画面Ｇ１が出力部１０Ｃに表示されている。操作者が、入力部１０Ｂを操作して、「送信」を選択すると、ステップｓ１１へ進む。
【００８２】
ステップｓ１１では、ＳＲ１個人４１の関連情報処理部１０Ｅは、医用情報仲介センター１００に対して、ネットワーク１上の通信回線を接続し、ネットワーク１を介して、「送信」選択時の加入者情報を要求する。
【００８３】
ステップｃ２１では、医用情報仲介センター１００の関連情報処理部１０Ｅが、前記「送信」選択時の加入者情報要求を受信する。ステップｃ２２では、医用情報仲介センター１００のセキュリティ管理部１０Ｄは、前記要求の正当性をチェックし、正当でなければステップｃ３へ進み、正当であればステップｃ４へ進む。この正当性のチェックは、前記ステップｃ２と同様である。ステップｃ２３では、通信回線を切断する。ステップｃ２４では、医用情報仲介センター１００の関連情報処理部１０Ｅは、ＳＲ１個人４１に対して、ネットワーク１を介して、「送信」選択時の加入者情報を送信する。ここで、「送信」選択時の加入者情報は、受信加入者およびその住所および部門のリストである。
【００８４】
ステップｓ１２では、ＳＲ１個人４１の関連情報処理部１０Ｅが、前記「送信」選択時の加入者情報を受信する。
【００８５】
ステップｓ１３では、ＳＲ１個人４１の関連情報処理部１０Ｅが、前記「送信」選択時の加入者情報に基づき、出力部１０Ｃに、図１３に示す如き関連情報処理画面Ｇ７を表示する。ここで、操作者は、加入者情報のリストを所望の表示順にソートできる。そして、操作者は、スクロールするリストから受信加入者を選択したり、名称や住所や電話番号などのキーによって受信加入者を検索し、受信加入者を特定し、「次へ」を選択する。なお、「戻る」を選択すると、通信回線を切断して、図５の関連情報処理画面Ｇ１を表示する処理に戻る。操作者が受信加入者を特定し「次へ」を選択すると、関連情報処理部１０Ｅが、前記「送信」選択時の加入者情報に基づき、出力部１０Ｃに、図１４に示す如き関連情報処理画面Ｇ８を表示する。そこで、リストから部門を選択し、「次へ」を選択する。なお、「戻る」を選択すると、通信回線を切断して、図５の関連情報処理画面Ｇ１を表示する処理に戻る。操作者が送信先の部門を特定し「次へ」を選択すると、関連情報処理部１０Ｅが、出力部１０Ｃに、図１５に示す如き関連情報処理画面Ｇ９を表示する。そこで、操作者は、患者情報や暗証番号を入力し、「次へ」を選択する。なお、「戻る」を選択すると、図１３の関連情報処理画面Ｇ７を表示する処理に戻る。
【００８６】
操作者が患者情報や暗証番号を入力し「次へ」を選択すると、関連情報処理部１０Ｅが、出力部１０Ｃに、図１６に示す如き関連情報処理画面Ｇ１０を表示する。つまり、当該患者の医用情報を保存している部門のリストおよび送信したい医用情報の期間を表示する。図１６では、「内科」しか保存していないので「内科」しか表示されていないが、複数の部門が保存していれば、複数の部門が表示される。そこで、操作者は、送信したい医用情報が存在する部門をリストから特定し、期間を指定して、「次へ」を選択する。なお、「戻る」を選択すると、図１５の関連情報処理画面Ｇ９を表示する処理に戻る。操作者が、送信したい医用情報が存在する部門および期間をリストから特定し「次へ」を選択すると、関連情報処理部１０Ｅが、出力部１０Ｃに、図１７に示す如き関連情報処理画面Ｇ１１を表示する。つまり、当該部門に保存している当該患者に係る当該期間内のタイムスタンプを持つ医用情報のリストを表示する。そこで、操作者は、送信したい医用情報をリストから特定し、「次へ」を選択する。なお、「戻る」を選択すると、図１６の関連情報処理画面Ｇ１０を表示する処理に戻る。操作者が送信したい医用情報を特定し「次へ」を選択すると、医用情報処理部１０Ｆが、出力部１０Ｃに、図１８に示す如き医用情報処理画面Ｈ２を表示する。ここで、医用情報が医用画像なら、前記医用情報処理部１０Ｆが、前記医用画像のデータ量を縮めた簡易医用画像を作成し、図１８に示すように表示する。医用情報がカルテ診断記録なら、前記簡易医用画像の代わりにカルテ診断記録の内容を表示する。そこで、操作者は、送信したい医用情報であることを確認し、「アップロード」を選択する。所望の医用情報でないなら「ホーム画面に戻る」または「画像選択画面に戻る」を選択する。「ホーム画面に戻る」を選択すると、図１５の関連情報処理画面Ｇ９を表示する処理に戻る。また、「画像選択画面に戻る」を選択すると、図１７の関連情報処理画面Ｇ１１を表示する処理に戻る。操作者が送信したい医用情報を確認し「アップロード」を選択すると、関連情報処理部１０Ｅが、医用情報仲介センター１００に対して、ネットワーク１を介して、特定した受信加入者および部門と送信許可要求を送信する。この時、図１８の医用情報処理画面Ｈ２で目的やコメントを入力していると、目的やコメントが電子メールでＳＲ２病院１２へ送られる。
【００８７】
ステップｃ２５では、医用情報仲介センター１００の関連情報処理部１０Ｅが、前記特定した受信加入者および部門と送信許可要求を受信する。そして、ＳＲ１個人４１の端末に図示せぬ代金請求画面を表示して情報送信料を請求し、預金口座からの振込やクレジットカードや支払い代行サービスで支払う操作を前記代金請求画面でＳＲ１個人４１が行ったならステップｃ２６へ進み、行われなかったならＳＲ１個人４１との接続を切断する。ステップｃ２６では、医用情報仲介センター１００の関連情報処理部１０Ｅが、特定した受信加入者であるＳＲ２病院１２に対して、ネットワーク１上の通信回線を接続し、ネットワーク１を介して、送信許可要求を送信する。
【００８８】
ステップｒ１１では、ＳＲ２病院１２（の端末）の関連情報処理部１０Ｅが、前記送信許可要求を受信する。ステップｒ１２では、ＳＲ２病院１２のセキュリティ管理部１０Ｄは、前記要求の正当性をチェックし、正当でなければステップｒ１３へ進み、正当であればステップｒ１４へ進む。ステップｒ１３では、通信回線を切断する。ステップｒ１４では、ＳＲ２病院１２の関連情報処理部１０Ｅが、医用情報仲介センター１００に対して、ネットワーク１を介して、許可を送信する。
【００８９】
ステップｃ２７では、医用情報仲介センター１００の関連情報処理部１０Ｅは、許可を受信する。ステップｃ２８では、医用情報仲介センター１００の関連情報処理部１０Ｅは、ＳＲ１個人４１に対して、ネットワーク１を介して、許可を送信する。
【００９０】
ステップｓ１４では、ＳＲ１個人４１の関連情報処理部１０Ｅが、前記許可を受信する。ステップｓ１５では、ＳＲ１個人４１の医用情報処理部１０Ｆは、先に特定した医用情報を、医用情報仲介センター１００に対して、ネットワーク１を介して、送信する。
【００９１】
ステップｃ２９では、医用情報仲介センター１００の関連情報処理部１０Ｅが、前記医用情報を受信する。ステップｃ３０では、医用情報仲介センター１００の関連情報処理部１０Ｅが、ＳＲ２病院１２に対して、ネットワーク１を介して、前記医用情報を送信する。
【００９２】
ステップｒ１５では、ＳＲ２病院１２の医用情報処理部１０Ｆが、前記医用情報を受信し、前記特定した部門に保存する。
【００９３】
以上により、ＳＲ２病院１２とＳＲ１個人４１とがそれぞれ医用情報仲介センター１００と契約していれば、ＳＲ２病院１１とＳＲ１個人４１とが直接契約していなくても、ＳＲ１個人４１が保持している医用情報をＳＲ２病院１２へネットワーク１を介して届けることが出来るようになる。
【００９４】
なお、上記説明では、図１８の医用情報処理画面Ｈ２で入力した目的やコメントが電子メールでＳＲ２病院１２へ送られ、それとは別に医用情報がＳＲ２病院１２へネットワーク１を介して送られるものとしたが、目的やコメントの電子メールに添付して医用情報を送ってもよい。
【００９５】
次に、図１９〜図２７を参照して、配信加入者が送信加入者から受信加入者へ医用情報を送信させる動作を説明する。なお、配信加入者としてＳＲ１個人４１を想定し、送信加入者としてＳＲ１病院１１を想定し、受信加入者としてＳＲ２病院１２を想定する。最初は、配信加入者であるＳＲ１個人４１では、図５に示す如き関連情報処理画面Ｇ１が出力部１０Ｃに表示されている。操作者が、入力部１０Ｂを操作して、「配信」を選択すると、図１９のステップｄ１へ進む。
【００９６】
ステップｄ１では、ＳＲ１個人４１の関連情報処理部１０Ｅは、医用情報仲介センター１００に対して、ネットワーク１上の通信回線を接続し、ネットワーク１を介して、「配信」選択時の加入者情報を要求する。
【００９７】
ステップｃ３１では、医用情報仲介センター１００の関連情報処理部１０Ｅが、前記「配信」選択時の加入者情報要求を受信する。ステップｃ３２では、医用情報仲介センター１００のセキュリティ管理部１０Ｄは、前記要求の正当性をチェックし、正当でなければステップｃ３３へ進み、正当であればステップｃ３４へ進む。この正当性のチェックは、前記ステップｃ２と同様である。ステップｃ３３では、通信回線を切断する。ステップｃ３４では、医用情報仲介センター１００の関連情報処理部１０Ｅは、ＳＲ１個人４１に対して、ネットワーク１を介して、「配信」選択時の加入者情報を送信する。ここで、「配信」選択時の加入者情報は、受信加入者およびその住所および部門のリスト並びに送信加入者およびその住所のリストである。
【００９８】
ステップｄ２では、ＳＲ１個人４１の関連情報処理部１０Ｅが、前記「配信」選択時の加入者情報を受信する。ステップｄ３では、ＳＲ１個人４１の関連情報処理部１０Ｅが、前記「配信」選択時の加入者情報に基づき、出力部１０Ｃに、図２１に示す如き関連情報処理画面Ｇ１２を表示する。そこで、操作者は、受信加入者のリストから選択したり、名称や住所や電話番号などのキーによって検索し、配信先である受信加入者を特定し、「次へ」を選択する。なお、「戻る」を選択すると、通信回線を切断して、図５の関連情報処理画面Ｇ１を表示する処理に戻る。操作者が受信加入者を特定し「次へ」を選択すると、関連情報処理部１０Ｅが、前記「配信」選択時の加入者情報に基づき、出力部１０Ｃに、図２２に示す如き関連情報処理画面Ｇ１３を表示する。そこで、リストから配信先の部門を選択し、「次へ」を選択する。なお、「戻る」を選択すると、通信回線を切断して、図５の関連情報処理画面Ｇ１を表示する処理に戻る。操作者が受信加入者の部門を特定し「次へ」を選択すると、関連情報処理部１０Ｅが、出力部１０Ｃに、図２３に示す如き関連情報処理画面Ｇ１４を表示する。そこで、操作者は、送信加入者のリストから選択したり、名称や住所や電話番号などのキーによって検索し、配信元である送信加入者を特定し、「次へ」を選択する。なお、「戻る」を選択すると、図２１の関連情報処理画面Ｇ１２を表示する処理に戻る。
【００９９】
操作者が送信加入者を特定し「次へ」を選択すると、関連情報処理部１０Ｅが、出力部１０Ｃに、図２４に示す如き関連情報処理画面Ｇ１５を表示する。そこで、操作者は、患者情報および当該患者の医用画像にネットワーク１を介してアクセスするための暗証番号を入力し、「次へ」を選択する。ここで、暗証番号の入力に代えて又はそれに加えて、ＳＲ１病院１１が発行した患者カードの記録情報をカードリーダで読み取ってもよい。なお、「戻る」を選択すると、図２３の関連情報処理画面Ｇ１４を表示する処理に戻る。操作者が図２４の関連情報処理画面Ｇ１５で「次へ」を選択すると、関連情報処理部１０Ｅが、出力部１０Ｃに、図２５に示す如き関連情報処理画面Ｇ１６を表示する。そこで、操作者は、配信したい医用情報を保持しているであろう部門を選択すると共に、配信したい医用情報の期間を指定し、「次へ」を選択する。ここで、セキュリティの観点から、１度に配信できる医用情報の期間が制限されている（図２５では最大３年分）。なお、「戻る」を選択すると、図２４の関連情報処理画面Ｇ１５を表示する処理に戻る。図２５に示す如き関連情報処理画面Ｇ１６で「次へ」が選択されると、関連情報処理部１０Ｅが、医用情報仲介センター１００に対して、ネットワーク１を介して、特定した受信加入者および部門と、特定した送信加入者，患者情報，暗証番号，部門および期間を送信する。
【０１００】
ステップｃ３５では、医用情報仲介センター１００の関連情報処理部１０Ｅが、前記特定された受信加入者および部門と特定された送信加入者，患者情報，暗証番号，部門および期間を受信する。ステップｃ６，ｓ１，ｓ２，ｓ３，ｓ４，ｃ７，ｃ８までの処理は、図３を参照して説明した処理と同じであり、説明を省略する。
【０１０１】
ステップｄ４では、ＳＲ１個人４１の関連情報処理部１０Ｅは、検索用情報を受信する。ステップｄ５では、ＳＲ１個人４１の関連情報処理部１０Ｅが、出力部１０Ｃに、図２６に示す如き関連情報処理画面Ｇ１７を表示する。この関連情報処理画面Ｇ１７では、配信元の部門に保存されている当該患者に係る所望の配信期間内のタイムスタンプを持つ医用情報のリストが表示される。ここで、医用情報には、医用画像とカルテ診断情報の２種類がある。そこで、操作者は、リストから医用情報を特定し、「次へ」を選択する。なお、「戻る」を選択すると、図２５の関連情報処理画面Ｇ１６を表示する処理に戻る。ステップｄ６では、ＳＲ１個人４１の関連情報処理部１０Ｅは、医用情報仲介センター１００に対して、ネットワーク１を介して、特定した医用画像を要求する。
【０１０２】
ステップｃ９，ｃ１０，ｓ５，ｓ６，ｃ１１，ｃ１２までの処理は、図３を参照して説明した処理と同じであり、説明を省略する。
【０１０３】
ステップｄ７では、ＳＲ１個人４１の医用情報処理部１０Ｆは、簡易医用画像を受信し、出力部１０Ｃに、図２７に示す如き医用情報処理画面Ｈ３を表示する。この医用情報処理画面Ｈ３で、操作者は、所望の医用情報であるか否かを確かめて、所望の医用情報であるなら「配信実行」を選択する。所望の医用情報でないなら「ホーム画面に戻る」または「画像選択画面に戻る」を選択する。なお、「ホーム画面に戻る」を選択すると、図２４の関連情報処理画面Ｇ１５を表示する処理に戻る。また、「画像選択画面に戻る」を選択すると、図２６の関連情報処理画面Ｇ１７を表示する処理に戻る。ステップｄ８では、ＳＲ１個人４１の医用情報処理部１０Ｆは、医用情報仲介センター１００に対して、ネットワーク１を介して、特定した医用情報の配信実行を要求する。
【０１０４】
ステップｃ３６では、医用情報仲介センター１００の医用情報処理部１０Ｆは、配信実行要求を受信する。図２０のステップｃ１４，ｓ７，ｓ８，ｃ１５までの処理は、図４を参照して説明した処理と同じであり、説明を省略する。
【０１０５】
図２０のステップｃ２６，ｒ１１，ｒ１２，ｒ１３，ｒ１４，ｃ２７までの処理およびステップｃ３０，ｒ１５の処理は、図１２を参照して説明した処理と同じであり、説明を省略する。
【０１０６】
以上により、ＳＲ１病院１１とＳＲ２病院１２とＳＲ１個人４１とがそれぞれ医用情報仲介センター１００と契約していれば、ＳＲ１病院１１とＳＲ２病院１１とＳＲ１個人４１とが直接契約していなくても、ＳＲ１個人４１の要求によりＳＲ１病院１１が保持している医用情報をＳＲ２病院１２へネットワーク１を介して届けることが出来るようになる。
【０１０７】
上記第１の実施形態に係る医用情報提供システム１０００によれば、各加入者は医用情報仲介センター１００とのみ契約すればよく、相互に契約する必要はない。よって、煩雑な契約を要さずに、多数の相手と、ネットワーク１を介して、医用画像を送信または受信するできるようになる。さらに、医用情報仲介センター１００側でセキュリティを厳重に管理できるので、加入者側でのセキュリティ管理の負担を軽減することも出来る。
【０１０８】
−第２の実施形態−第２の実施形態では、医用情報仲介センター１００は、医用情報の送受信の交渉のみ行い、医用情報の転送を行わない。すなわち、医用情報は、送信加入者から受信加入者へ直接送信する。
【０１０９】
受信加入者が医用画像を送信加入者からダウンロードする動作は、図３および図２８のようになる。図３については、説明を省略する。図２８のステップｃ１０，ｓ５，ｓ６，ｃ１１，ｃ１２，ｒ７，ｒ８，ｃ１３は、図４を参照して説明した処理と同じであり、説明を省略する。ステップｃ１４’では、医用情報仲介センター１００の医用情報処理部１０Ｆが、ＳＲ１病院１１に対して、ネットワーク１を介して、前記特定された医用情報をＳＲ１個人４１に対して送信することを要求する。
【０１１０】
ステップｓ７’では、ＳＲ１病院１１の医用情報処理部１０Ｆが、前記特定された医用情報をＳＲ１個人４１に対して送信することの要求を受信する。ステップｓ８’では、ＳＲ１病院１１の医用情報処理部１０Ｆが、ＳＲ１個人４１に対して、ネットワーク１上の通信回線を接続し、ネットワーク１を介して、前記特定された医用情報を送信する。
【０１１１】
ステップｒ９’では、ＳＲ１個人４１の医用情報処理部１０Ｆは、前記医用情報を受信する。
【０１１２】
送信加入者が医用画像を受信加入者にアップロードする動作は、図２９のようになる。図２９のステップｓ１５’，ｒ１５’以外は、図１２を参照して説明した対応する処理と同じであり、説明を省略する。ステップｓ１５’では、ＳＲ１個人４１の医用情報処理部１０Ｆが、ＳＲ２病院１２に対して、ネットワーク１上の通信回線を接続し、ネットワーク１を介して、医用情報を送信する。
【０１１３】
ステップｒ１５’では、ＳＲ２病院１２の医用情報処理部１０Ｆは、前記医用情報を受信する。
【０１１４】
送信加入者が医用画像を受信加入者にアップロードする動作を、図３０のようにしてもよい。図３０のステップｒ１４’，ｓ１４’，ｓ１５”，ｒ１５’以外は、図１２を参照して説明した対応する処理と同じであり、説明を省略する。ステップｒ１４’では、ＳＲ２病院１２の関連情報処理部１０Ｅが、ＳＲ１個人４１に対して、ネットワーク１上の通信回線を接続し、ネットワーク１を介して、許可を送信する。
【０１１５】
ステップｓ１４’では、ＳＲ１個人４１の関連情報処理部１０Ｅは、許可を受信する。ステップｓ１５”では、ＳＲ１個人４１の医用情報処理部１０Ｆが、ネットワーク１を介して、医用情報を送信する。
【０１１６】
ステップｒ１５’では、ＳＲ２病院１２の医用情報処理部１０Ｆは、前記医用情報を受信する。
【０１１７】
上記第２の実施形態に係る医用情報提供システムによれば、医用情報仲介センター１００の処理負担を軽減することが出来る。
【０１１８】
−第３の実施形態−第３の実施形態では、送信加入者と受信加入者とが医用情報の送受信の交渉を直接行い、医用情報を直接送受信する。医用情報仲介センター１００は、加入者の管理のみを行うので、ネットワーク１上にあってもなくてもよい。
【０１１９】
送信加入者および受信加入者は、加入者情報を保持している。この加入者情報の作成・更新は、次のように行なう。
（１）医用情報仲介センターは、契約に基づいて当該新規加入者を追加した加入者情報を作成し、この最新の加入者情報を、ネットワーク１を介して、全ての加入者に配布する。
（２）新規加入者は、契約内容に応じたプログラムを記憶した記憶媒体および最新の加入者情報を記憶した記憶媒体を受け取る。または、ネットワーク１を介してダウンロードする。
（３）加入者の契約解除に基づいて医用情報仲介センター１００が当該加入者を削除した加入者情報を作成し、この最新の加入者情報を、ネットワーク１を介して、全ての加入者に配布する。
（４）ネットワーク１上に医用情報仲介センターがない場合は、加入者情報の更新の都度、最新の加入者情報を記憶した記憶媒体を、郵便により、全ての加入者に配布する。
【０１２０】
図３１は、受信加入者が医用画像を送信加入者からダウンロードする動作を説明するフロー図である。なお、受信加入者としてＳＲ１個人４１を想定し、送信加入者としてＳＲ１病院１１を想定する。最初は、受信加入者であるＳＲ１個人４１では、ＳＲ１個人４１の関連情報処理部１０Ｅが、図５に示す如き関連情報処理画面Ｇ１を出力部１０Ｃに表示している。操作者が、ＳＲ１個人４１の入力部１０Ｂを操作して、「受信」を選択すると、ＳＲ１個人４１の関連情報処理部１０Ｅは、図６に示す如き関連情報処理画面Ｇ２を出力部１０Ｃに表示する。操作者は、入力部１０Ｂを操作して、医用画像を受信する適当な部門を特定し、「次へ」を選択する。すると、ＳＲ１個人４１の関連情報処理部１０Ｅは、保持している加入者情報に基づき、図７に示す如き関連情報処理画面Ｇ３を出力部１０Ｃに表示する。そこで、操作者は、リストから送信加入者を選択したり、名称や住所や電話番号などのキーによって送信加入者を検索し、送信加入者を特定し、「次へ」を選択する。なお、「戻る」を選択すると、通信回線を切断して、図５の関連情報処理画面Ｇ１を表示する処理に戻る。操作者が送信加入者を特定し「次へ」を選択すると、関連情報処理部１０Ｅが、出力部１０Ｃに、図８に示す如き関連情報処理画面Ｇ４を表示する。そこで、操作者は、患者情報および当該患者の医用画像にネットワーク１を介してアクセスするための暗証番号を入力し、「次へ」を選択する。なお、「戻る」を選択すると、図７の関連情報処理画面Ｇ３を表示する処理に戻る。操作者が患者情報や暗証番号を入力し「次へ」を選択すると、関連情報処理部１０Ｅが、出力部１０Ｃに、図９に示す如き関連情報処理画面Ｇ５を表示する。そこで、操作者は、受信したい医用情報を保持しているであろう部門を選択すると共に、受信したい医用情報の期間を指定し、「次へ」を選択する。なお、「戻る」を選択すると、図８の関連情報処理画面Ｇ４を表示する処理に戻る。図９に示す如き関連情報処理画面Ｇ５で「次へ」が選択されると、図３1のステップｒ３１へ進む。
【０１２１】
ステップｒ３１では、ＳＲ１個人４１の関連情報処理部１０Ｅは、特定した送信加入者であるＳＲ１病院１１に対して、ネットワーク１上の通信回線を接続し、ネットワーク１を介して、前記患者情報、暗証番号、部門および期間を送信し且つ検索用情報を要求する。
【０１２２】
ステップｓ３１では、ＳＲ１病院１１の関連情報処理部１０Ｅが、前記患者情報、暗証番号、部門および期間および検索用情報要求を受信する。ステップｓ３２では、ＳＲ１病院１１のセキュリティ管理部１０Ｄは、前記要求の正当性をチェックし、正当でなければステップｓ３３へ進み、正当であればステップｓ３４へ進む。この正当性のチェックは、前記ステップｃ２と同様である。ステップｓ３３では、通信回線を切断する。ステップｓ３４では、ＳＲ１病院１１の関連情報処理部１０Ｅが、ＳＲ１個人４１に対して、ネットワーク１を介して、前記患者情報，部門および期間に係る検索用情報を送信する。この検索用情報は、医用情報のリストからなっている。但し、該当する医用情報がなければ、「医用情報なし」のメッセージが検索用情報となる。「医用情報なし」の検索用情報が３回連続すると、セキュリティの観点から、ＳＲ１個人４１との接続を切断する。なお、ＳＲ１個人４１との接続を切断せずに、ＳＲ１個人４１の端末を図８の関連情報処理画面Ｇ４を表示する処理に強制的に戻すようにしてもよい。
【０１２３】
ステップｒ３２では、ＳＲ１個人４１の関連情報処理部１０Ｅは、検索用情報を受信する。ステップｒ３３では、ＳＲ１個人４１の関連情報処理部１０Ｅが、出力部１０Ｃに、図１０に示す如き関連情報処理画面Ｇ６を表示する。この関連情報処理画面Ｇ６では、選択した部門に保存されている当該患者に係る前記期間内のタイムスタンプを持つ医用情報のリストが表示される。そこで、操作者は、リストから医用情報を特定し、「次へ」を選択する。なお、「戻る」を選択すると、図８の関連情報処理画面Ｇ４を表示する処理に戻る。次に、特定した医用情報が医用画像なら、ＳＲ１個人４１はステップｒ３４へ進み、ＳＲ１病院１１はステップｓ３５へ進む。一方、特定した医用情報がカルテ診断記録なら、ＳＲ１個人４１はステップｒ３６へ進み、ＳＲ１病院１１はステップｓ３７へ進む。なお、要求された医用情報が医用画像でも、ＳＲ１個人４１はステップｒ３６へ進み、ＳＲ１病院１１はステップｓ３７へ進む、ようにしてもよい。
【０１２４】
ステップｒ３４では、ＳＲ１個人４１の関連情報処理部１０Ｅが、ＳＲ１病院１１に対して、ネットワーク１を介して、前記特定した医用画像の簡易医用画像を要求する。
【０１２５】
ステップｓ３６では、ＳＲ１病院１１の関連情報処理部１０Ｅが、前記特定された医用画像の簡易医用画像要求を受信する。ステップｓ３７では、ＳＲ１病院１１の医用情報処理部１０Ｆが、前記特定された医用画像のデータ量を縮めた簡易医用画像を作成し、ＳＲ１個人４１に対して、ネットワーク１を介して、送信する。
【０１２６】
ステップｒ３５では、ＳＲ１個人４１の医用情報処理部１０Ｆは、簡易医用画像を受信し、出力部１０Ｃに、図１１に示す如き医用情報処理画面Ｈ１を表示する。この医用情報処理画面Ｈ１で、操作者は、所望の医用画像であるか否かを確かめて、所望の医用画像であるなら「タ゛ウンロート゛」を選択する。所望の医用画像でないなら「ホーム画面に戻る」または「画像選択画面に戻る」を選択する。なお、「ホーム画面に戻る」を選択すると、図８の関連情報処理画面Ｇ４を表示する処理に戻る。また、「画像選択画面に戻る」を選択すると、図１０の関連情報処理画面Ｇ６を表示する処理に戻る。ステップｒ３６では、ＳＲ１個人４１の医用情報処理部１０Ｆは、ＳＲ１病院１１に対して、ネットワーク１を介して、特定した医用情報のダウンロードを要求する。この時、図１１の医用情報処理画面Ｈ１で目的やコメントを入力していると、目的やコメントが電子メールでＳＲ１病院１１へ送られる。
【０１２７】
ステップｓ３７では、ＳＲ１病院１１の医用情報処理部１０Ｆは、ダウンロード要求を受信する。そして、ＳＲ１個人４１の端末に図示せぬ代金請求画面を表示して情報受信料を請求し、預金口座からの振込やクレジットカードや支払い代行サービスで支払う操作を前記代金請求画面でＳＲ１個人４１が行ったならステップｓ３８へ進み、行われなかったならＳＲ１個人４１との接続を切断する。ステップｓ３８では、ＳＲ１病院１１の医用情報処理部１０Ｆが、ＳＲ１個人４１に対して、ネットワーク１を介して、前記特定された医用情報を送信する。
【０１２８】
ステップｒ３７では、ＳＲ１個人４１の医用情報処理部１０Ｆは、前記特定した医用情報を受信し、前記特定した部門に保存する。
【０１２９】
以上により、送信加入者のリストを利用して、ＳＲ１病院１１が保持している医用画像をＳＲ１個人４１がネットワーク１を介して容易に入手できるようになる。
【０１３０】
図３２は、送信加入者が医用画像を受信加入者へアップロードする動作を説明するフロー図である。なお、送信加入者としてＳＲ１個人４１を想定し、受信加入者としてＳＲ２病院１２を想定する。最初は、送信加入者であるＳＲ１個人４１では、図５に示す如き関連情報処理画面Ｇ１が出力部１０Ｃに表示されている。操作者が、入力部１０Ｂを操作して、「送信」を選択すると、ＳＲ１個人４１の関連情報処理部１０Ｅが、保持している加入者情報に基づき、出力部１０Ｃに、図１３に示す如き関連情報処理画面Ｇ７を表示する。そこで、操作者は、スクロールするリストから受信加入者を選択したり、名称や住所や電話番号などのキーによって受信加入者を検索し、受信加入者を特定し、「次へ」を選択する。なお、「戻る」を選択すると、通信回線を切断して、図５の関連情報処理画面Ｇ１を表示する処理に戻る。操作者が受信加入者を特定し「次へ」を選択すると、関連情報処理部１０Ｅが、保持している加入者情報に基づき、出力部１０Ｃに、図１４に示す如き関連情報処理画面Ｇ８を表示する。そこで、リストから部門を選択し、「次へ」を選択する。なお、「戻る」を選択すると、通信回線を切断して、図５の関連情報処理画面Ｇ１を表示する処理に戻る。操作者が送信先の部門を特定し「次へ」を選択すると、関連情報処理部１０Ｅが、出力部１０Ｃに、図１５に示す如き関連情報処理画面Ｇ９を表示する。そこで、操作者は、患者情報や暗証番号を入力し、「次へ」を選択する。なお、「戻る」を選択すると、図１４の関連情報処理画面Ｇ８を表示する処理に戻る。操作者が患者情報や暗証番号を入力し「次へ」を選択すると、関連情報処理部１０Ｅが、出力部１０Ｃに、図１６に示す如き関連情報処理画面Ｇ１０を表示する。つまり、当該患者の医用情報を保存している部門のリストを表示する。そこで、操作者は、送信したい医用画像が存在する部門をリストから特定し、送信したい期間を指定し、「次へ」を選択する。なお、「戻る」を選択すると、図１５の関連情報処理画面Ｇ９を表示する処理に戻る。操作者が、送信したい医用画像が存在する部門をリストから特定し「次へ」を選択すると、関連情報処理部１０Ｅが、出力部１０Ｃに、図１７に示す如き関連情報処理画面Ｇ１１を表示する。つまり、当該部門に保存している当該患者に係る前記期間内のタイムスタンプを持つ医用情報のリストを表示する。そこで、操作者は、送信したい医用情報をリストから特定し、「次へ」を選択する。なお、「戻る」を選択すると、図１６の関連情報処理画面Ｇ１０を表示する処理に戻る。操作者が送信したい医用情報を特定し「次へ」を選択すると、医用情報が医用画像の場合は、医用情報処理部１０Ｆが、医用画像のデータ量を縮めた簡易医用画像を作成し、出力部１０Ｃに、図１８に示す如き医用情報処理画面Ｈ２を表示する。また、医用情報がカルテ診断記録の場合は、その内容を、前記簡易医用画像の代わりに表示する。そこで、操作者は、送信したい医用情報であることを確認し、「アップロード」を選択する。所望の医用情報でないなら「ホーム画面に戻る」または「画像選択画面に戻る」を選択する。「ホーム画面に戻る」を選択すると、図１５の関連情報処理画面Ｇ９を表示する処理に戻る。また、「画像選択画面に戻る」を選択すると、図１７の関連情報処理画面Ｇ１１を表示する処理に戻る。操作者が送信したい医用画像を確認し「アップロード」を選択すると、ステップｓ４１へ進む。
【０１３１】
ステップｓ４１では、ＳＲ１個人４１の医用情報処理部１０Ｆが、特定した受信加入者であるＳＲ２病院１２に対して、ネットワーク１上の通信回線を接続し、ネットワーク１を介して、特定した受信部門と送信許可要求とを送信する。
【０１３２】
ステップｒ４１では、ＳＲ２病院１２の関連情報処理部１０Ｅが、前記特定された受信部門と送信許可要求とを受信する。ステップｒ４２では、ＳＲ２病院１２のセキュリティ管理部１０Ｄは、前記要求の正当性をチェックし、正当でなければステップｒ４３へ進み、正当であればステップｒ４４へ進む。この正当性のチェックでは、前記ステップｃ２と同様の正当性のチェックに加えて、ＳＲ１個人４１の端末に図示せぬ代金請求画面を表示して情報送信料を請求し、預金口座からの振込やクレジットカードや支払い代行サービスで支払う操作を前記代金請求画面でＳＲ１個人４１が行ったなら正当とみなし、行われなかったなら正当でないと見なす。ステップｒ４３では、通信回線を切断する。ステップｒ４４では、ＳＲ２病院１２の関連情報処理部１０Ｅが、ＳＲ１個人４１に対して、ネットワーク１を介して、許可を送信する。
【０１３３】
ステップｓ４２では、ＳＲ１個人４１の医用情報処理部１０Ｆが、前記許可を受信する。ステップｓ４３では、ＳＲ１個人４１の医用情報処理部１０Ｆは、先に特定した医用情報を、医用情報仲介センター１００に対して、ネットワーク１を介して、送信する。
【０１３４】
ステップｒ４５では、ＳＲ２病院１２の医用情報処理部１０Ｆが、前記医用情報を受信し、前記特定した部門に保存する。
【０１３５】
以上により、受信加入者のリストを利用して、ＳＲ１個人４１が保持している医用情報をＳＲ２病院１２へネットワーク１を介して届けることが出来るようになる。
【０１３６】
なお、上記の送信と受信の組み合わせにより、配信加入者としてのＳＲ１個人４１の要請によって送信加入者としてのＳＲ１病院１１から受信加入者としてのＳＲ２病院１２への医用画像を配信することも可能である。
【０１３７】
−第４の実施形態−第４の実施形態では、図１の非加入者５０が医用情報を送受信する。すなわち、前記非加入者５０は、医用情報仲介センター１００を利用できない。そこで、例えばＳＲ１病院のホームページに直接アクセスして、自分の医用情報を保持している部門（送信端末）のリストを受け取り、その中から所望の部門を選択し、該部門が保持している自分の医用情報を受信する。また、自分の医用情報を送信できる部門（受信端末）のリストを受け取り、その中から所望の部門を選択し、該部門に自分の医用情報を送信する。但し、このようなサービスを所望の病院で受けられるか否かを自分で調べる必要があり、また、このようなサービスを所望の病院で受けるための手続（例えば手数料の振込など）を自分で行う必要がある。
【符号の説明】
【０１３８】
１  ネットワーク
１０Ａ  通信部
１０Ｂ  入力部
１０Ｃ  出力部
１０Ｄ  セキュリティ管理部
１０Ｅ  関連情報処理部
１０Ｆ  医用情報処理部
１００  医用情報仲介センター
１０００  医用情報提供システム
Ｇ１〜Ｇ１７  関連情報処理画面
Ｈ１〜Ｈ３  医用情報処理画面
【図１】
2011008829.tif 000003
【図２】
2011008829.tif 000004
【図３】
2011008829.tif 000005
【図４】
2011008829.tif 000006
【図５】
2011008829.tif 000007
【図６】
2011008829.tif 000008
【図７】
2011008829.tif 000009
【図８】
2011008829.tif 000010
【図９】
2011008829.tif 000011
【図１０】
2011008829.tif 000012
【図１１】
2011008829.tif 000013
【図１２】
2011008829.tif 000014
【図１３】
2011008829.tif 000015
【図１４】
2011008829.tif 000016
【図１５】
2011008829.tif 000017
【図１６】
2011008829.tif 000018
【図１７】
2011008829.tif 000019
【図１８】
2011008829.tif 000020
【図１９】
2011008829.tif 000021
【図２０】
2011008829.tif 000022
【図２１】
2011008829.tif 000023
【図２２】
2011008829.tif 000024
【図２３】
2011008829.tif 000025
【図２４】
2011008829.tif 000026
【図２５】
2011008829.tif 000027
【図２６】
2011008829.tif 000028
【図２７】
2011008829.tif 000029
【図２８】
2011008829.tif 000030
【図２９】
2011008829.tif 000031
【図３０】
2011008829.tif 000032
【図３１】
2011008829.tif 000033
【図３２】
2011008829.tif 000034